(57)【特許請求の範囲】
【請求項１】
少なくとも１本の指針を有し、該指針を回転駆動するムーブメントと、
前記指針が指し示す文字、記号、図形および目盛りのうち少なくとも１つが付された光透過性を有する文字板と、
前記ムーブメント上に重ねて設置され、光を受光することにより電力を生成し、該電力を前記ムーブメントに供給する太陽電池と、
前記文字板、前記太陽電池および前記ムーブメントを位置決め固定するリング状の枠体とを有し、
前記枠体は、前記枠体の前記ムーブメントに対向する側の面には、前記太陽電池を位置決め固定する太陽電池固定部と、前記太陽電池固定部とは異なる位置で、前記ムーブメントを位置決め固定するムーブメント固定部と、前記枠体の前記ムーブメントに対向する側とは反対側の面には、前記文字板を位置決め固定する文字板固定部とを有することを特徴とする時計。
【請求項２】
前記太陽電池固定部は、前記枠体の内周部に該枠体の中心に向かって突出形成され、前記枠体の中心を介して対向配置された、前記太陽電池の裏面に係合する少なくとも一対の小片を有する請求項１に記載の時計。
【請求項３】
前記太陽電池固定部は、前記各小片と異なる位置に当該時計の裏面側に向かって突出形成され、前記太陽電池の縁部に係合する少なくとも１本の係合ピンを有する請求項２に記載の時計。
【請求項４】
前記係合ピンは、前記枠体の中心を介して一対対向配置され、前記太陽電池を前記枠体に対して位置決めをする機能を有する請求項３に記載の時計。
【請求項５】
前記枠体は、その前記太陽電池側の部分に、深さが段階的に変化した段差部を有し、
前記段差部で囲まれた部分に前記太陽電池および前記ムーブメントが配される請求項１ないし４のいずれかに記載の時計。
【請求項６】
前記太陽電池固定部は、前記段差部から前記枠体の中心に向かって突出し、該枠体の周方向に沿って複数配置された突部を有する請求項５に記載の時計。
【請求項７】
前記ムーブメント固定部は、当該時計の裏面側に向かって突出形成され、前記枠体の中心を介して対向配置された、前記ムーブメントの縁部に係合する少なくとも一対の係合片を有する請求項１ないし６のいずれかに記載の時計。
【請求項８】
前記文字板と前記太陽電池とは離間して配置される請求項１ないし７のいずれかに記載の時計。
【請求項９】
前記ムーブメントをその裏面側から覆う裏蓋をさらに備え、
前記枠体は、その前記太陽電池側の部分に、前記裏蓋と当接する当接部を有する請求項１ないし８のいずれかに記載の時計。
【発明の詳細な説明】
【技術分野】
【０００１】
本発明は、時計に関する。
【背景技術】
【０００２】
従来から、ムーブメント、太陽電池および文字板を有し、これらがこの順に重ねて配置された時計が知られている（例えば、特許文献１参照）。この特許文献１に記載の時計は、太陽電池が光を受光することにより、太陽電池で電力が生成され、その電力をムーブメントに供給して、指針が文字板上を回転駆動するよう構成されている。
この特許文献１に記載の時計では、ムーブメントを裏蓋に対し固定する第１の固定用部材と、第１の固定用部材で固定されたムーブメントに対し太陽電池を固定する第２の固定用部材とが配置されている。このように特許文献１に記載の時計では、固定機能を有する２つの固定部材を用いているため、その分、部品点数が多くなり、当該時計を組み立てて製造する際の手間がかかるという問題があった。
【先行技術文献】
【特許文献】
【０００３】
【特許文献１】特開２００１−１３２６８号公報
【発明の概要】
【発明が解決しようとする課題】
【０００４】
本発明の目的は、部品点数が少なく、組み立てや製造が容易な時計を提供することにある。
【課題を解決するための手段】
【０００５】
このような目的は、下記の本発明により達成される。
本発明の時計は、少なくとも１本の指針を有し、該指針を回転駆動するムーブメントと、
前記指針が指し示す文字、記号、図形および目盛りのうち少なくとも１つが付された光透過性を有する文字板と、
前記ムーブメント上に重ねて設置され、光を受光することにより電力を生成し、該電力を前記ムーブメントに供給する太陽電池と、
前記文字板、前記太陽電池および前記ムーブメントを位置決め固定するリング状の枠体とを有し、
前記枠体は、前記枠体の前記ムーブメントに対向する側の面には、前記太陽電池を位置決め固定する太陽電池固定部と、前記太陽電池固定部とは異なる位置で、前記ムーブメントを位置決め固定するムーブメント固定部と、前記枠体の前記ムーブメントに対向する側とは反対側の面には、前記文字板を位置決め固定する文字板固定部とを有することを特徴とする。
これにより、部品点数が少なく、組み立てや製造が容易な時計となる。
【０００６】
本発明の時計では、前記太陽電池固定部は、前記枠体の内周部に該枠体の中心に向かって突出形成され、前記枠体の中心を介して対向配置された、前記太陽電池の裏面に係合する少なくとも一対の小片を有することが好ましい。
これにより、太陽電池を確実に固定することができ、よって、例えば振動等によって太陽電池が枠体から不本意に離脱するのを確実に防止することができる。
【０００７】
本発明の時計では、前記太陽電池固定部は、前記各小片と異なる位置に当該時計の裏面側に向かって突出形成され、前記太陽電池の縁部に係合する少なくとも１本の係合ピンを有することが好ましい。
これにより、前記一対の小片と相まって、太陽電池をより確実に固定することができ、よって、例えば振動等によって太陽電池が枠体から不本意に離脱するのをより確実に防止することができる。
【０００８】
本発明の時計では、前記係合ピンは、前記枠体の中心を介して一対対向配置され、前記太陽電池を前記枠体に対して位置決めをする機能を有することが好ましい。
これにより、太陽電池を確実に固定することができ、よって、例えば振動等によって太陽電池が枠体から不本意に離脱するのを確実に防止することができる。
本発明の時計では、前記枠体は、その前記太陽電池側の部分に、深さが段階的に変化した段差部を有し、
前記段差部で囲まれた部分に前記太陽電池および前記ムーブメントが配されることが好ましい。
これにより、太陽電池、ムーブメントが枠体の内部に収納されることとなり、これらの部材を枠体で保護することができる。
【０００９】
本発明の時計では、前記太陽電池固定部は、前記段差部から前記枠体の中心に向かって突出し、該枠体の周方向に沿って複数配置された突部を有することが好ましい。
これにより、太陽電池の枠体に対する位置が確実に規制され、太陽電池と枠体とを組み立てる際の作業性が向上する。
本発明の時計では、前記ムーブメント固定部は、当該時計の裏面側に向かって突出形成され、前記枠体の中心を介して対向配置された、前記ムーブメントの縁部に係合する少なくとも一対の係合片を有することが好ましい。
これにより、ムーブメントを確実に固定することができ、よって、例えば振動等によってムーブメントが枠体から不本意に離脱するのを確実に防止することができる。
【００１１】
本発明の時計では、前記文字板と前記太陽電池とは離間して配置されることが好ましい。
これにより、文字板と太陽電池とが接触して使用中に摩耗し、これら部材のうちの少なくとも一方が損傷するのを防止することができる。
本発明の時計では、前記ムーブメントをその裏面側から覆う裏蓋をさらに備え、
前記枠体は、その前記太陽電池側の部分に、前記裏蓋と当接する当接部を有することが好ましい。
これにより、枠体が当接部を介して裏蓋で押し上げられ、よって、枠体の時計内でのガタツキを防止することができる。
【発明の効果】
【００１２】
本発明によれば、部品点数が少なく、組み立てや製造が容易な時計を提供することができる。
【図面の簡単な説明】
【００１３】
【図１】本発明の時計を腕時計に適用した場合の実施形態を示す斜視図である。
【図２】図１に示す腕時計の主な構成部品の分解斜視図である。
【図３】図１に示す腕時計でのムーブメントの地板、太陽電池および枠体の分解斜視図である。
【図４】図１に示す腕時計での太陽電池および枠体を裏側から見た平面図である。
【図５】図１に示す腕時計でのムーブメント、太陽電池および枠体を裏側から見た平面図である。
【図６】図１に示す腕時計でのムーブメント、太陽電池および枠体を裏側から見た斜視図である。
【図７】図１に示す腕時計での枠体を表側から見た斜視図である。
【図８】図１に示す腕時計での枠体を裏側から見た斜視図である。
【図９】図１に示す腕時計での枠体の側面図である。
【図１０】図７中のＡ−Ａ線断面図である。
【図１１】図７中のＢ−Ｂ線断面図である。
【図１２】図８中のＣ−Ｃ線断面図である。
【発明を実施するための形態】
【００１４】
以下、本発明の時計を添付図面に示す好適な実施形態に基づいて詳細に説明する。
図１は、本発明の時計を腕時計に適用した場合の実施形態を示す斜視図、図２は、図１に示す腕時計の主な構成部品の分解斜視図、図３は、図１に示す腕時計でのムーブメントの地板、太陽電池および枠体の分解斜視図、図４は、図１に示す腕時計での太陽電池および枠体を裏側から見た平面図、図５は、図１に示す腕時計でのムーブメント、太陽電池および枠体を裏側から見た平面図、図６は、図１に示す腕時計でのムーブメント、太陽電池および枠体を裏側から見た斜視図、図７は、図１に示す腕時計での枠体を表側から見た斜視図、図８は、図１に示す腕時計での枠体を裏側から見た斜視図、図９は、図１に示す腕時計での枠体の側面図、図１０は、図７中のＡ−Ａ線断面図、図１１は、図７中のＢ−Ｂ線断面図、図１２は、図８中のＣ−Ｃ線断面図である。なお、以下では、説明の都合上、図１〜図３、図６〜図１１中の上側を「上」、「上方」または「表側」、下側を「下」、「下方」または「裏側」と言う。
【００１５】
図１に示す腕時計（以下、単に「時計」という）１は、外装部（ケース）２と、外装部２の内部に収納され、時針、分針および秒針をそれぞれ構成する３本の時計用針（指針）３１を有するムーブメント３と、時計１を腕に装着する際に用いられるバンド４とを備えている。
図２に示すように、外装部２は、胴部２３と、ガラス板（カバーガラス）２１と、ガラス板２１を保持するベゼル２２と、胴部２３の裏側に設置される裏蓋２５とを有している。なお、図２では、時計用針３１が省略されている。
【００１６】
胴部２３には、巻真パイプ（図示せず）が嵌入され、この巻真パイプに、りゅうず２４が回転可能に設けられている。りゅうず２４を回転させることにより、そのトルクがムーブメント３に伝わる。これにより、各時計用針３１が回転駆動し、よって、表示する時刻を調整することができる。
ガラス板２１は、透明性を有し、例えばサファイヤガラス、ソーダガラス、結晶性ガラス、石英ガラス、鉛ガラス、カリウムガラス、ホウ珪酸ガラス、プラスチック等で構成されている。このガラス板２１は、無色透明のものであってもよいし、有色透明のものであってもよい。
【００１７】
ベゼル２２は、リング状をなす部材であり、その内周部でガラス板２１を支持することができる。
裏蓋２５は、ムーブメント３をその裏面側から覆うことができ、円板状の底板２５１と、底板２５１の縁部付近から上方に向かって突出した側壁２５２とで構成されている。側壁２５２は、底板２５１の縁部に沿ってリング状をなし、胴部２３に嵌合することができる。
【００１８】
図２に示すように、ムーブメント３は、扁平な形状をなし、平面視で全体として丸みを帯びた（丸型）ものである。ムーブメント３は、後述する枠体７を介して外装部２に対し固定されている。
このムーブメント３は、上方に向かって突出した軸部３３を有している。この軸部３３は、各時計用針３１を回転可能に支持するものである。また、ムーブメント３には、軸部３３を介して、各時計用針３１を回転駆動するための、歯車等で構成された駆動機構（図示せず）が内蔵されている。そして、この駆動機構は、後述する太陽電池５で得られた電力によって作動することができる。これにより、各時計用針３１がそれぞれ回転して、当該時計用針３１で現在の時刻を確認することができる。
【００１９】
そして、ムーブメント３は、前記駆動機構を構成する歯車を軸支する地板３６を有している。この地板３６は、枠体７で固定される。
また、図２に示すように、外装部２には、ムーブメント３の他に、太陽電池５、文字板６、枠体７も収納されている。ムーブメント３、太陽電池５、文字板６、枠体７を組み立てるには、まず、枠体７に太陽電池５を固定する、次に、この枠体７をムーブメント３に固定する。次に、枠体７に文字板６を固定する。そして、この組立状態のものが外装部２に収納される。
【００２０】
小判状（板状）をなす太陽電池５は、ムーブメント３上側に重ねて設置されている。太陽電池５は、導電体で構成された、いわゆる導通バネ（図示せず）を介して、ムーブメント３と電気的に接続されている。そして、太陽電池５は、光を受光することにより電力を生成し、電力をムーブメント３に供給することができる。太陽電池５としては、例えば、ｐ型半導体とｎ型半導体とを重ね合わせて接合したものを用いることができる。ｐ型半導体とは、高純度のシリコン半導体にホウ素等のような３価の元素を極微量混入させたものであり、ｎ型半導体とは、高純度のシリコン半導体にヒ素等のような５価の元素を極微量混入させたものである。このような構成の太陽電池５に光が照射されると、光電効果によりシリコン内部に電子および正孔が発生する。また、ｐ型半導体とｎ型半導体との境界部にあたるｐｎ接合部では、発生した電子および正孔のうち、プラスの電荷をもった正孔はｐ型半導体側へ、マイナスの電荷をもった電子はｎ型半導体側へ分離・誘導される。これにより、各半導体がそれぞれプラスとマイナスとに帯電して、電位差が生じ、よって、電力をムーブメント３に供給することができる。なお、ｐｎ接合部付近は、空乏層となる。
また、太陽電池５の中心部には、ムーブメント３の軸部３３が挿通する挿通孔５２が形成されている（図２参照）。
【００２１】
図４に示すように、太陽電池５の縁部には、太陽電池５の挿通孔５２を介して対向する位置に、一対の太陽電池側突部５１ａ、５１ｂが外側に向かって形成されている。太陽電池側突部５１ａ、５１ｂは、それぞれ、枠体７に固定される（位置決めも含む）部分である。なお、太陽電池側突部５１ａと太陽電池側突部５１ｂとは、互いの距離ができる限り大となるように配置される、すなわち、できる限り太陽電池５の長手方向に沿って配置されるのが好ましい。このような配置により、太陽電池５が安定して固定されることなり、よって、時計１を使用している最中に、例えば振動等によって太陽電池５が枠体７から不本意に離脱するのを確実に防止することができる。
【００２２】
さらに、太陽電池５の縁部には、太陽電池側突部５１ａ、５１ｂと異なる位置に、挿通孔５２側に向かって窪んだ、すなわち、欠損した太陽電池側凹部（欠損部）５４ａ、５４ｂが一対形成されている。太陽電池側凹部５４ａ、５４ｂも、太陽電池側突部５１ａ、５１ｂと同様に、枠体７に固定される部分である。太陽電池側凹部５４ａ、５４ｂは、それぞれ、平面視で丸みを帯びた形状をなし、特に、一部が円弧状をなすのが好ましい。また、太陽電池側凹部５４ａと太陽電池側凹部５４ｂとは、太陽電池５の幅方向で、挿通孔５２を介して対向する位置に配置されている。
【００２３】
図２に示すように、太陽電池５の上側（表側）には、円盤状をなす文字板６が枠体７を介して重ねて設置されている。文字板６には、例えば１から１２までの数字が付されており、各数字が時計用針３１で指される。これにより、時刻を確実に確認することできる。なお、文字板６には、数字等の文字の他、記号、図形、目盛りも付されていてもよい。
また、文字板６のほとんどの部分は、光透過性を有して、すなわち、透明となっており、その構成材料としては、特に限定されず、例えば、各種ガラス材料、各種プラスチック材料が挙げられる。軽量、加工の容易性等の観点からプラスチック材料が好ましく、中でも、ポリカーボネートが好ましい。時計１では、文字板６を透過した光が太陽電池５に到達して、これにより、前述したように電力が生じる。
【００２４】
さらに、文字板６は、光を拡散する機能を有するのが好ましい。これにより、文字板６の裏側にある太陽電池５が文字板６を介して視認されるのを防止または抑制することができる。一般的に腕時計では、太陽電池を外部からできる限り視認されないようにするのが好ましいため、時計１のように太陽電池５に対する視認性が抑制された場合、時計１の審美性が向上する。なお、文字板６に光拡散機能を担持させる方法としては、特に限定されず、例えば、文字板６の表側の面６３および裏側の面６４のうちの少なくとも一方に、拡散剤を含む拡散層を形成する方法、偏光フィルムを設置する方法、プリズムとして機能する微小な凹凸を多数形成する方法等が挙げられる。
【００２５】
図２に示すように、文字板６の中心部には、ムーブメント３の軸部３３が挿通する挿通孔６２が形成されている。
また、文字板６の縁部には、挿通孔６２側に向かって窪んだ、すなわち、欠損した一対の文字板側凹部６５ａ、６５ｂと、一対の文字板側凹部６５ｃ、６５ｄとが形成されている。文字板側凹部６５ａ〜６５ｄは、枠体７に固定や位置決めがなされる部分となる。
【００２６】
文字板側凹部６５ａ〜６５ｄは、文字板６の周方向に沿って間隔をおいて（等間隔に）配置されている。なお、文字板側凹部６５ａと文字板側凹部６５ｂとが挿通孔６２を介して対向しており、文字板側凹部６５ｃと文字板側凹部６５ｄとが挿通孔６２を介して対向している。
そして、文字板側凹部６５ａと文字板側凹部６５ｂとは、互いに大きさが同じであり文字板側凹部６５ｃと文字板側凹部６５ｄとは、互いに大きさが同じであるが、文字板側凹部６５ａ、６５ｂと文字板側凹部６５ｃ、６５ｄとは、互いに大きさが異なっている。換言すれば、文字板側凹部６５ａと文字板側凹部６５ｂとは、平面視での形状が四角形状をなしており、これに対し、字板側凹部６５ｃと文字板側凹部６５ｄとは、平面視で円弧状（「Ｕ」字状）をなす。
【００２７】
図２に示すように、時計１では、ムーブメント３、太陽電池５および文字板６が、中央部が開口した開口部７６を有する円環状（リング状）の枠体７によって一括して支持、固定されている。この枠体７は、太陽電池５と文字板６との間に重ねて配される。枠体７の構成材料としては、特に限定されないが、例えば、アルミニウムやステンレス鋼等のような各種金属材料、ポリエチレン、ポリプロピレン等のような各種プラスチック材料が挙げられる。
【００２８】
枠体７は、文字板６を固定する文字板固定部７１と、太陽電池５を固定する太陽電池固定部７２と、ムーブメント３を固定するムーブメント固定部７３とを有している。
文字板固定部７１は、枠体７の表側の部分に設けられている。図７に示すように、この文字板固定部７１は、枠体７の表側の面（上面）７４から突出した一対のピン７１１ａ、７１１ｂと、一対のピン７１１ｃ、７１１ｄとで構成されている。
【００２９】
ピン７１１ａ〜７１１ｄは、枠体７の周方向に沿って間隔をおいて（等間隔に）配置されている。なお、ピン７１１ａとピン７１１ｂとが枠体７の中心を介して対向しており、ピン７１１ｃとピン７１１ｄとが枠体７の中心を介して対向している。
ピン７１１ｃ、７１１ｄは、それぞれ、円柱状をなし、その外径が文字板６の文字板側凹部６５ｃ、６５ｄの幅と同じかまたは若干小さいものである。そして、ピン７１１ｃが文字板側凹部６５ｃに挿入され、ピン７１１ｄが文字板側凹部６５ｄに挿入される。これにより、枠体７に対し文字板６の面方向の位置決めが行なわれる。このように、ピン７１１ｃ、７１１ｄは、それぞれ、位置決め用ピンとして機能する。
【００３０】
また、ピン７１１ａ、７１１ｂは、それぞれ、ほぼ四角柱をなし、その最大幅が文字板６の文字板側凹部６５ａ、６５ｂの幅と同じかまたは若干大きいものである。そして、ピン７１１ａが文字板側凹部６５ａに挿入され、ピン７１１ｂが文字板側凹部６５ｂに挿入される。これにより、文字板６の前記位置決め状態を維持して固定することができる。このように、ピン７１１ａ、７１１ｂは、それぞれ、固定用ピンとして機能する。
このようなピン７１１ａ〜７１１ｄが形成されていることにより、枠体７に文字板６を載置した際、枠体７に対する文字板６の位置決めと固定とをほぼ同時に行うことができる。
【００３１】
図３、図６、図８に示すように、枠体７の裏側の部分は、凹没しており、その深さが段階的に変化している。これにより、段差部７５が形成される。そして、この段差部７５で囲まれた部分に太陽電池５とムーブメント３とを配置することができる（図６参照）。これにより、太陽電池５、ムーブメント３の全体が枠体７の内部に収納されることとなり、これらの部材を枠体７で保護することができる。なお、段差部７５の内側に配された太陽電池５は、その表側の面が開口部７６から露出し、光を受光することができる。
そして、段差部７５内では、太陽電池固定部７２により太陽電池５が固定され、ムーブメント固定部７３によりムーブメント３が固定される。
【００３２】
図４に示すように、太陽電池固定部７２は、一対の小片７２１ａ、７２１ｂと、２本の係合ピン７２２ａ、７２２ｂと、複数（図４に示す構成では５つ）の突部７２３とで構成されている。なお、小片は、本実施形態では一対配置されているが、これに限定されず、例えば、複数対配置されていてもよい。また、係合ピンは、本実施形態では２本配置されているが、これに限定されず、例えば、１本または３本以上配置されていてもよい。また、突部は、本実施形態では４つ配置されているが、これに限定されず、例えば、３つまたは５つ以上配置されていてもよい。
【００３３】
一方、ムーブメント固定部７３は、一対の係合片７３１ａ、７３１ｂと、一対の小片７３３ａ、７３３ｂとで構成されている。なお、係合片は、本実施形態では一対配置されているが、これに限定されず、例えば、複数対配置されていてもよい。また、小片は、本実施形態では一対配置されているが、これに限定されず、例えば、複数対配置されていてもよい。
【００３４】
図４に示すように、小片７２１ａ、７２１ｂは、それぞれ、枠体７の内周部、すなわち、段差部７５に当該枠体７の中心に向かって突出して形成されている。また、小片７２１ａ、７２１ｂは、枠体７の中心を介して対向して配置されている。そして、図４、図１０に示すように、小片７２１ａは、太陽電池５の裏側の面５５の太陽電池側突部５１ａの部分に係合することができ、小片７２１ｂは、太陽電池５の裏側の面５５の太陽電池側突部５１ｂの部分に係合することができる。
【００３５】
係合ピン７２２ａ、７２２ｂは、それぞれ、小片７２１ａ、７２１ｂと異なる位置に、時計１の裏側に向かって突出形成されている。また、係合ピン７２２ａ、７２２ｂは、枠体７の中心を介して対向して配置されている。そして、図４に示すように、係合ピン７２２ａは、その外周部が太陽電池５の縁部にある太陽電池側凹部５４ａに係合することができ、係合ピン７２２ｂは、その外周部が太陽電池５の縁部にある太陽電池側凹部５４ｂに係合することができる。
また、係合ピン７２２ａ、７２２ｂは、互いに太陽電池５をその中心に向かって押圧し合うこととなり、これにより、当該太陽電池５の枠体７に対する位置決めがなされる。このように、係合ピン７２２ａと係合ピン７２２ｂとは、固定用ピンとしての機能と、位置決め用ピンとしての機能とを有するものとなっている。
【００３６】
複数の突部７２３も、それぞれ、小片７２１ａ、７２１ｂと同様に、枠体７の内周部に当該枠体７の中心に向かって突出して形成されている。各突部７２３は、それぞれ、小片７２１ａ、７２１ｂよりも小さいものである。また、各突部７２３は、枠体７の周方向に沿って間隔をおいて配置されている。そして、各突部７２３は、それぞれ、その頂部が太陽電池５の縁部に係合することができる。
【００３７】
以上のような構成の太陽電池固定部７２では、太陽電池５をその周方向に沿って均一に確実に押さえ付けることができる。また、太陽電池固定部７２は、形状（構成が異なる）３種類の部分（小片７２１ａ、７２１ｂ、係合ピン７２２ａ、７２２ｂ、突部７２３）で太陽電池５を固定している。これら２つの相乗効果により、例えば振動等によって太陽電池５が枠体７から不本意に離脱するのを確実に防止することができる。
【００３８】
なお、太陽電池固定部７２に固定された太陽電池５は、文字板６と離間して配置されることとなる（図２参照）。例えば熱により太陽電池５に反り（変形）が生じた場合、太陽電池５と文字板６とが離間していれば、変形した太陽電池５が文字板６に触れるのが防止される。これにより、時計１の使用中に太陽電池５と文字板６とが摩耗して損傷してしまうのを確実に防止することができる。
【００３９】
図８に示すように、ムーブメント固定部７３は、太陽電池固定部７２と異なる位置に設けられている。このムーブメント固定部７３は、一対の係合片７３１ａ、７３１ｂを有している。係合片７３１ａ、７３１ｂは、時計１の裏側に向かって突出形成されている。また、係合片７３１ａ、７３１ｂは、枠体７の中心を介して対向配置されている。
係合片７３１ａ、７３１ｂは、それぞれ、内側に向かって爪７３２が形成されている。そして、図５、図６、図１１に示すように、係合片７３１ａ、７３１ｂの爪７３２は、それぞれ、ムーブメント３の縁部にある凹部で構成された係合部３５に係合することができる。これにより、ムーブメント３を確実に支持、固定することができる。
【００４０】
なお、図４に示すように、係合片７３１ａは、太陽電池５に対しその長手方向に沿って係合ピン７２２ａと隣接している。一方、係合片７３１ｂは、係合ピン７２２ｂと隣接している。
また、図５、図６、図８に示すように、ムーブメント固定部７３は、一対の係合片７３１ａ、７３１ｂと異なる位置に、一対の小片７３３ａ、７３３ｂを有している。小片７３３ａ、７３３ｂは、枠体７の内側に向かって突出形成されている。また、小片７３３ａ、７３３ｂは、枠体７の中心を介して対向配置されている。
【００４１】
そして、図１２に示すように、小片７３３ａ、７３３ｂは、それぞれ、ムーブメント３の縁部にある凹部で構成された係合部３７に係合することができる。これにより、ムーブメント３を、係合片７３１ａ、７３１ｂとともに、確実に支持、固定することができる。
このように時計１では、文字板固定部７１、太陽電池固定部７２、ムーブメント固定部７３を有する１つの枠体７で、ムーブメント３、太陽電池５および文字板６を一括して固定することができる。これにより、例えば従来の腕時計のように複数の部材でムーブメント、太陽電池および文字板を固定する構成に比べて、時計１の部品点数を削減することができる。また、時計１の組み立てや製造も容易となる。さらに、前記一括固定されて、モジュール化（ユニット化）されたものは、１つの時計用部品として扱われ、よって、時計１の量産に好適である。
【００４２】
図９に示すように、枠体７は、その裏側の面（下面）７７に、裏蓋２５の側壁２５２と当接する複数の当接部７８を有している。各当接部７８は、裏側の面７７から突出した突部で構成されており、枠体７の周方向に沿って間隔をおいて配置されている。時計１では、枠体７は、各当接部７８を介して裏蓋２５で押し上げられる。これにより、枠体７が外装部２の胴部２３の一部に突き当てられることとなり、よって、外装部２内での枠体７のガタツキを防止することができる。
【００４３】
以上、本発明の時計を図示の実施形態について説明したが、本発明は、これに限定されるものではなく、時計を構成する各部は、同様の機能を発揮し得る任意の構成のものと置換することができる。また、任意の構成物が付加されていてもよい。
また、枠体の平面視での形状は、丸型、四角型の他、オーバル型であってもよい。
【符号の説明】
【００４４】
１……腕時計（時計）  ２……外装部（ケース）  ２１……カバーガラス  ２２……ベゼル  ２３……胴部  ２４……りゅうず  ２５……裏蓋  ２５１……底板  ２５２……側壁  ３……ムーブメント  ３１……時計用針（指針）  ３３……軸部  ３５……係合部  ３６……地板（上カバー）  ３７……係合部  ４……バンド  ５……太陽電池  ５１ａ、５１ｂ……太陽電池側突部  ５２……挿通孔  ５４ａ、５４ｂ……太陽電池側凹部（欠損部）  ５５……裏側の面  ６……文字板  ６２……挿通孔  ６３……表側の面  ６４……裏側の面  ６５ａ、６５ｂ、６５ｃ、６５ｄ……文字板側凹部  ７……枠体  ７１……文字板固定部  ７１１ａ、７１１ｂ、７１１ｃ、７１１ｄ……ピン  ７２……太陽電池固定部  ７２１ａ、７２１ｂ……小片  ７２２ａ、７２２ｂ……係合ピン  ７２３……突部  ７３……ムーブメント固定部  ７３１ａ、７３１ｂ……係合片  ７３２……爪  ７３３ａ、７３３ｂ……小片  ７４……表側の面（上面）  ７５……段差部  ７６……開口部  ７７……裏側の面（下面）  ７８……当接部
【図１】
0005790036.tif 000002
【図２】
0005790036.tif 000003
【図３】
0005790036.tif 000004
【図４】
0005790036.tif 000005
【図５】
0005790036.tif 000006
【図６】
0005790036.tif 000007
【図７】
0005790036.tif 000008
【図８】
0005790036.tif 000009
【図９】
0005790036.tif 000010
【図１０】
0005790036.tif 000011
【図１１】
0005790036.tif 000012
【図１２】
0005790036.tif 000013